(57)【要約】【課題】  手術器具等を動かした際に、カニューレが眼球から抜け易くなるのを抑制し、また、カニューレのベースと眼球が接触しても眼球を傷つけず、さらには、パイプがベースから外れることを抑制することができるカニューレを提供する。【解決手段】  眼科手術において眼球に刺通して用いられるカニューレであって、眼球Ａに刺通される金属製のパイプ１１と、そのパイプの一端側に接合され、柔軟性を有する素材からなるベース１２と、を具備するカニューレ１０とする。さらに、ベースの眼球側の端面の中央部が、窪んでいることにしたり、ベースが眼球に接触すると、ベースの接触部分が変形することにするとよい。【選択図】  図１
2015066199.tif 000002
【特許請求の範囲】
【請求項１】
眼科手術において眼球に刺通して用いられるカニューレであって、
眼球に刺通される金属製のパイプと、
前記パイプの一端側に接合され、柔軟性を有する素材からなるベースと、を具備することを特徴とするカニューレ。
【請求項２】
前記ベースの眼球側の端面の中央部が、窪んでいることを特徴とする請求項１に記載のカニューレ。
【請求項３】
前記ベースが眼球に接触すると、前記ベースの接触部分が変形することを特徴とする請求項１又は２に記載のカニューレ。
【発明の詳細な説明】
【技術分野】
【０００１】
本発明は、眼科手術で使用されるカニューレに関するものである。
【背景技術】
【０００２】
眼科手術において、手術器具等を眼球内で用いる際にカニューレが使用される（たとえば特許文献１）。図３は、眼科手術の状況を示す図である。従来のカニューレ１１０は、金属性のパイプ１１１を硬質な樹脂からなるベース１１２に嵌め込んだ構成となっている。ベース１１２は、ほぼ円柱形状で、側面の中間位置付近に円周に沿って溝１１２ａが設けられていて、カニューレ１１０をピンセットで把持できるようになっている。
【０００３】
カニューレ１１０を眼球Ａに刺通させると、ベース１１２が眼球Ａに接触することでストッパとして機能し、刺通された状態で保持される。そして、各種の手術器具２０や、モニター用の光学機器などがカニューレ１１０を通じて眼球内に挿入される。したがって、手術の際、カニューレ１１０は、１つの眼球に３、４本刺通されることもある。
【０００４】
図４は、従来のカニューレを眼球に刺通した状態を示す図である。カニューレ１１０を刺通した状態で手術器具２０を動かすと、このように、カニューレ１１０の軸方向ｂと眼球Ａの法線方向ａとのなす角度が、３０゜から４５゜程度になることがある。
【０００５】
このとき、ベース１１２がほぼ円柱形状で、かつ、硬質な樹脂製の場合には、手術器具２０を動かしてカニューレ１１０の角度αを変動させると、ベース１１２の角部１１２ｂが眼球Ａに接触するので、パイプ１１１の刺通部分が浅くなり、手術中にカニューレ１１０が眼球Ａから抜けてしまう、といった問題が生じ得る。また、角度αを大きくするに伴い、角部１１２ｂを支点として、パイプ１１１とベース１１２の接合部１１２ｃが開く方向に力が働くので、パイプ１１１がベース１１２から外れやすくなる、という問題も生じ得る。
【０００６】
また、眼球Ａとベース１１２との接触箇所は、角部１１２ｂにおける点接触となるので、ベース１１２は、眼球Ａ上を左右に転動することができることになる。したがって、ベース１１２が硬質な樹脂製の場合には、眼球Ａを傷つけるおそれがある、という問題も生じる。
【先行技術文献】
【特許文献】
【０００７】
【特許文献１】国際公開第２０１０／１２６０７６号
【発明の概要】
【発明が解決しようとする課題】
【０００８】
斯かる事情に鑑み、本発明は、手術器具等を動かした際に、カニューレが眼球から抜け易くなるのを抑制し、また、カニューレのベースと眼球が接触しても眼球を傷つけず、さらには、パイプがベースから外れることを抑制することができるカニューレを提供することを目的とする。
【課題を解決するための手段】
【０００９】
本発明に係るカニューレは、眼科手術において眼球に刺通して用いられるカニューレであって、眼球に刺通される金属製のパイプと、そのパイプの一端側に接合され、柔軟性を有する素材からなるベースと、を具備するものとする。
【００１０】
さらに、ベースの眼球側の端面の中央部が、窪んでいることにしたり、ベースが眼球に接触すると、ベースの接触部分が変形することにするとよい。
【発明の効果】
【００１１】
本発明によれば、ベースが柔軟性を有するため、手術器具等を動かしても眼球を傷つけることがなく、また、ベースからパイプが外れにくいという効果を奏する。また、ベースが変形するので、眼球内に刺通されたパイプの深さがほとんど変わらず、カニューレが抜け易くなるのを抑制するという効果も奏する。
【図面の簡単な説明】
【００１２】
【図１】本発明のカニューレの平面図である。
【図２】本発明のカニューレを眼球に刺通して動かした状態を示す図であって、（ａ）は小さく動かした状態、（ｂ）は大きく動かした状態である。
【図３】眼科手術の状況を示す図である。
【図４】従来のカニューレを眼球に刺通した状態を示す図である。
【発明を実施するための形態】
【００１３】
以下、本発明の実施の形態を添付図面を参照して説明する。
【００１４】
図１は、本発明のカニューレの平面図である。本発明のカニューレ１０は、金属製のパイプ１１と、ほぼ円柱形状のベース１２と、からなる。パイプ１１は、一端側を円柱形状のベース１２の中心位置に挿通して取り付けられている。そしてベース１２は、パイプ１１を眼球Ａに刺通したときにストッパとして機能する。
【００１５】
ベース１２には、円柱形状の側面位置に、円周に沿って溝１２ａが形成されている。この溝１２ａは、カニューレをピンセットで把持するのに用いられる。また、ベース１２の眼球Ａに接触する側の端面は、円の中心付近に窪み１２ｄを有する形状になっている。つまり、ベース１２を縦方向に切った断面は、眼球側が凹形状になっている。そして、この窪み１２ｄに眼球Ａの曲面が合致することで、図１に示すように眼球Ａとベース１２が密着しやすくなっている。
【００１６】
また、ベース１２は柔軟性（弾性）を有するものとし、具体的には眼球Ａより軟らかい素材にすればよい。ベース１２が柔軟性を有すれば、図１のように眼球Ａとベース１２とが密着した状態のままで、手術器具を動かすことができる。
【００１７】
図２は、本発明のカニューレを眼球に刺通して動かした状態を示す図であって、（ａ）は小さく動かした状態、（ｂ）は大きく動かした状態である。図２（ａ）の小さく動かした状態というのは、図１のように眼球Ａとベース１２とがほぼ密着した状態のまま手術器具２０を動かして、それに伴いカニューレ１０が動いた状態とする。図２（ｂ）の大きく動かした状態というのは、手術器具２０を動かした結果、眼球Ａの法線方向ａとカニューレ１０の軸方向ｂとのなす角度αが、３０゜から４５゜程度となった状態とする。
【００１８】
ベース１２は柔軟性を有するので、特に眼球Ａよりもベース１２の方が軟らかい場合には、カニューレ１０を眼球Ａに押し付けると、ベース１２は、図２（ａ）（ｂ）のように眼球Ａの形状に合わせて変形する。このとき、ベース１２の眼球側端面の中心部に窪み１２ｄを有していれば、さらに柔軟性が増すので、より変形しやすくなる。
【００１９】
さらに、ベース１２と眼球Ａとが接触する際に、ベース１２の角部１２ｂが変形すれば、眼球Ａに傷が付き難いという効果も奏する。また、角部１２ｂが変形すれば、従来のようにパイプ１１とベース１２の接合部１２ｃが外れる方向に力は働かず、逆にベース１２がパイプ１１に押しつけられるので、パイプ１１とベース１２が外れることを抑制する効果もある。
【００２０】
なお、ベース１２の製造方法としては、例えば、二液性の液体シリコーンを金型に流し込んで冷却する射出成形を採用することができる。つまり、ベースが柔軟性を有する場合でも、従来と同様の作業で本発明のカニューレを製造することができるので、製造面で不利になることはない。
【符号の説明】
【００２１】
１０ カニューレ
１１ パイプ
１２ ベース
１２ａ 溝
１２ｂ 角部
１２ｃ 接合部
２０ 手術器具
Ａ 眼球
【図１】
2015066199.tif 000003
【図２】
2015066199.tif 000004
【図３】
2015066199.tif 000005
【図４】
2015066199.tif 000006